(57)【要約】【課題】検針作業をより効率よく行うこと実現した検針ハンディターミナルを提供する。【解決手段】検針ハンディターミナル１は、検針員の操作によって電力量計の検針指示数を入力する入力パネル１６と、検針指示数を記憶する記憶部と、入力パネル１６及び前記記憶部を収納する筐体１２と、筐体１２に回動自在に設けられるクリップ１８と、クリップ１８に着脱自在に保持される伸縮自在のロッド型シャフト３２と、ロッド型シャフト３２に設けられ、電力量計に対向させることにより、検針員が検針指示数を視認可能にする第１ミラー４０とを備える。【選択図】図１
2014232358.tif 000002
【特許請求の範囲】
【請求項１】
検針員の操作によって電力量計の検針指示数を入力する入力部と、
前記検針指示数を記憶する記憶部と、
前記入力部及び前記記憶部を収納する筐体と、
伸縮自在のロッド型シャフト、及び当該ロッド型シャフトに設けられ、電力量計に対向させることによって検針員が検針指示数を視認可能にする光学装置からなる検針用補助具と、
前記筐体に回動自在に設けられ、前記ロッド型シャフトを着脱自在に保持するクリップと、を備えることを特徴とする検針ハンディターミナル。
【請求項２】
前記光学装置は、電力量計に対向配置される第１ミラーと、当該第１ミラーに対して所定の間隔をおいて設置され、前記第１ミラーに映された像を映し出す第２ミラーとからなることを特徴とする請求項１記載の検針ハンディターミナル。
【請求項３】
前記ロッド型シャフトは、長尺方向の所定部位に、前記ロッド型シャフトにおける前記所定部位から先端側を回動させる回動部を有することを特徴とする請求項１記載の検針ハンディターミナル。
【請求項４】
前記光学装置は、電力量計の検針指示数を撮像する撮像装置からなり、
前記撮像装置が撮像した検針指示数を表示する表示部を更に備えることを特徴とする請求項３記載の検針ハンディターミナル。
【発明の詳細な説明】
【技術分野】
【０００１】
本発明は、検針員の操作によって電力量計の検針指示数を入力する検針ハンディターミナルに関する。
【背景技術】
【０００２】
電力量計の検針は、検針員がハンディターミナルと称される検針用の携帯端末を持って各需要家宅を訪問し、電力量計の検針指示数（以下、単に指示数と称する）を読み取ってハンディターミナルに入力することにより行われる。
【０００３】
しかし、電力量計は、検針員にとって見易い場所に設置されているとは限らない。例えば、電力量計が、家屋と塀の間の狭い場所、日が当たらない暗い場所、更には検針員の身長よりも高い場所等に設置されている場合には、電力量計の指示数を確認することが難しい。
【０００４】
そこで、従来、ペンライトや、伸縮自在のロッド型シャフトの先端にミラーを取り付けてなる検針ミラーといった検針用補助具を用い、ペンライトで電力量計を照明したり、検針員が検針ミラーを持って電力量計の前にミラーを位置付け、ミラーに映し出された指示数を確認することが行われている。
【０００５】
また、従来、電力量計の検針作業を行い易くする技術として、特許文献１に記載されているメータ読取具がある。このメータ読取具は、棒状体と、この棒状体の一端に装着されるとともにメータを撮像するカメラ部と、撮像された画像を表示する表示装置への画像伝送部とを備え、電力、ガス、水道などのメータに表示された数値を反転させることなく、確実に数値を読み取ることを可能にしたものである。
【先行技術文献】
【特許文献】
【０００６】
【特許文献１】特開２００２−２４５５８３号公報
【発明の概要】
【発明が解決しようとする課題】
【０００７】
しかしながら、検針員は、検針困難箇所での検針作業を行う際に、その都度、鞄から検針用補助具を出し入れすることになる。また、検針ミラーで一度指示数を確認してから検針ミラーを鞄に入れ、検針ミラーを持っていた手を自由にしてから検針ハンディターミナルに指示数を入力しているため、指示数を確認してから入力までに時間が掛かる。このため、検針員における指示数の記憶が曖昧になって誤入力が発生する可能性がある。更に、片方の手に検針用補助具、もう片方の手に検針ハンディターミナルと両手がふさがった状態で作業を行っているため、検針員がバランスを崩して倒れた場合、体を支えることができずに負傷してしまうおそれがある。
【０００８】
本発明は、このような問題点を解決し、検針作業をより効率よく行うこと実現した検針ハンディターミナルを提供することを目的とする。
【課題を解決するための手段】
【０００９】
前記目的を達成するため、本発明は、次に記載する構成を備えている。
【００１０】
（１）  検針員の操作によって電力量計の検針指示数を入力する入力部と、前記検針指示数を記憶する記憶部と、前記入力部及び前記記憶部を収納する筐体と、伸縮自在のロッド型シャフト、及び当該ロッド型シャフトに設けられ、電力量計に対向させることによって検針員が検針指示数を視認可能にする光学装置からなる検針用補助具と、前記筐体に回動自在に設けられ、前記ロッド型シャフトを着脱自在に保持するクリップと、を備えることを特徴とする検針ハンディターミナル。
【００１１】
（１）によれば、例えば、ロッド型シャフトをクリップに保持させた状態で、光学装置を電力量計に対向させたり、あるいはロッド型シャフトを持って光学装置を電力量計に対向させ、この状態を維持しながらロッド型シャフトをクリップに保持させたりすることが可能になる。これにより、ロッド型シャフトを直接手で持たなくても、電力量計の指示数を視認することが可能になる。しかも、片手でロッド型シャフト及び検針ハンディターミナル本体を持つことが可能になり、もう片方の手を自由に使うことができる。このため、入力部への操作入力が容易に可能になり、検針作業をより効率よく行うことが可能になる。更に、検針員がバランスを崩して転びそうになった場合に、もう片方の手を使って転倒を回避することが可能になる。
【００１２】
（２）  （１）において、前記光学装置は、電力量計に対向配置される第１ミラーと、当該第１ミラーに対して所定の間隔をおいて設置され、前記第１ミラーに映された像を映し出す第２ミラーとからなることを特徴とする検針ハンディターミナル。
【００１３】
（２）によれば、例えば、第２ミラーを手元に位置付けることにより、電力量計の指示数を手元で視認することが可能になる。また、２枚のミラーを使用しているため、電力量計の指示数が反転画像とはならない。これにより、検針員が指示数を視認し易くすることが可能になる。
【００１４】
（３）  （１）において、前記ロッド型シャフトは、長尺方向の所定部位に、前記ロッド型シャフトにおける前記所定部位から先端側を回動させる回動部を有することを特徴とする検針ハンディターミナル。
【００１５】
（３）によれば、例えば、ロッド型シャフトをクリップに保持させた状態で、光学装置を電力量計に対向させた状態で、ロッド型シャフトにおける回動部よりも先端側の部位を操作することにより、電力量計に対する光学装置の角度を調整することが可能になる。これにより、ターミナル本体を移動させることなく検針員における手元でのロッド型シャフトの操作によって、電力量計の検針指示数を視認し易くすることが可能になる。
【００１６】
（４）  （３）において、前記光学装置は、電力量計のメータを撮像する撮像装置からなり、前記撮像装置が撮像した電力量計の検針指示数を表示する表示部を更に備えることを特徴とする検針ハンディターミナル。
【００１７】
（４）によれば、例えば、表示部を手元付近に設けることにより、電力量計の指示数を手元で視認することが可能になり、視線を大きくずらすことなく表示部を見ながら電力量計の検針指示数を入力することが容易に可能になる。
【発明の効果】
【００１８】
本発明によれば、検針用補助具を直接手で持たなくても、検針用補助具を使用して電力量計の検針指示数を視認可能にする検針ハンディターミナルを提供することが可能になる。
【図面の簡単な説明】
【００１９】
【図１】本発明の第１実施形態における検針ハンディターミナルの外観を示す斜視図である。
【図２】本発明の第１実施形態における検針ハンディターミナルの外観を示す正面図である。
【図３】本発明の第１実施形態における検針ハンディターミナルの外観を示す側面図である。
【図４】本発明の第１実施形態における検針ハンディターミナル１の制御系を示すブロック図である。
【図５】本発明の第２実施形態における検針ハンディターミナル１の外観を示す正面図である。
【図６】本発明の第３実施形態における検針ハンディターミナル１の外観を示す正面図である。
【図７】本発明の第３実施形態における検針ハンディターミナル１の外観を示す側面図である。
【発明を実施するための形態】
【００２０】
以下、本発明の実施形態について、図面を参照しながら詳細に説明する。
［第１実施形態］
図１は、本発明の第１実施形態における検針ハンディターミナル１の外観を示す斜視図、図２は、図１の正面図、図３は、図１の要部の側面図である。
【００２１】
検針ハンディターミナル１は、ターミナル本体１０と、検針用補助具３０とからなる。
ターミナル本体１０は、筐体１２と、表示パネル１４と、入力パネル１６と、クリップ１８とを備えており、電力量計の指示数を入力パネル１６によって入力し、指示数を内部のＲＯＭ５４（図４参照）に記憶させるものである。
【００２２】
筐体１２は、ターミナル本体１０を構成する各種の部材を収納するものであり、筐体１２の表面側には、表示パネル１４及び入力パネル１６が装着されている。また、筐体１２の内部には、検針ハンディターミナル１全体を制御するＣＰＵ５０（図４参照）や電力量計の指示数を記憶するＲＯＭ５４（図４参照）を搭載した回路基板や電源となる電池等が収納される。
【００２３】
表示パネル１４は、液晶表示ディスプレイからなり、入力パネル１６を操作して入力された電力量計の指示数や、地図情報、需要家から需要家への移動経路等が表示される。入力パネル１６は、検針員によって操作される複数のキーからなる。表示パネル１４及び入力パネル１６は、筐体１２の表面に並べて配置されている。また、筐体１２は、表示パネル１４側を若干大きく形成した薄型の略直方体形状である。
【００２４】
クリップ１８は、検針用補助具３０を支持する略円筒形の部材であり、クリップ１８には長手方向に延びるスリット１８ａが形成されている。このため、クリップ１８を軸方向視した場合にはＣ字形が形成される。また、クリップ１８は、薄手の金属や樹脂といった弾性変形可能な部材によって構成されており、スリット１８ａが開いたり閉じたりする方向に変形可能である。また、クリップ１８における長手方向の中央部が、固定軸１９よって筐体１２における表示パネル１４側の側面に回動自在に取り付けられる。これにより、クリップ１８は、図３中の矢印で示す方向に回動し、回動した位置で維持される。
【００２５】
検針用補助具３０は、ロッド型シャフト３２と、光学装置に相当する第１ミラー４０とを備えている。ロッド型シャフト３２は、径が異なる複数の円筒体を同心状に配置した構造であり、円筒体を軸方向に引き出すことによって長尺部材となる。第１実施形態においては、円筒体３２ａ、３２ｂ、３２ｃ、３２ｄの４段からなり、円筒体３２ａ、円筒体３２ｂ、円筒体３２ｃ、円筒体３２ｄの順で径が小さくなる。また、円筒体３２ａ、円筒体３２ｂ、円筒体３２ｃ、円筒体３２ｄの基端部は外側に延びるリング状に形成されており、先端部は内側に延びるリング状に形成されている。これにより、ロッド型シャフト３２の各円筒体が引き出された場合に、隣合う円筒体の先端部と基端部とが係合することにより、各円筒体同士が離れることない。
【００２６】
また、ロッド型シャフト３２において最も外側の円筒体３２ａの径は、クリップ１８の径よりも若干大きく設定されている。このため、クリップ１８を広げるように弾性変形させながら、円筒体３２ａをクリップ１８内に挿入することにより、円筒体３２ａがクリップ１８によって保持される。これにより、ロッド型シャフト３２がクリップ１８に着脱自在に保持される。
【００２７】
また、２段目の円筒体３２ｂは、基端側筒体３３と、先端側筒体３４と、回転軸３５とによって構成されている。基端側筒体３３の基端部は、外側に延びるリング状に形成されており、円筒体３２ａの先端部に係合する。基端側筒体３３の先端部には、図３に示すように、互いに対向する一対の壁部３３ａ、３３ａが延出している。この壁部３３ａ、３３ａは、円筒体３２ａの内部に収納可能な大きさである。また、先端側筒体３４の基端部の中央部には、壁部３４ａが立設している。この壁部３４ａは、一対の壁部３３ａ、３３ａの間に挿入可能でかつ円筒体３２ａの内部に収納可能な大きさである。先端側筒体３４の先端部は内側に延びるリング状に形成されている。また、一対の壁部３３ａ、３３ａ及び壁部３４ａの壁面中央部には図示しない貫通孔が形成されている。このように、壁部３３ａ、３３ａ、壁部３４ａ及び回転軸３５は回動部に相当する。
【００２８】
そして、一対の壁部３３ａ、３３ａの間に壁部３４ａを挿入し、一対の壁部３３ａ、３３ａ及び壁部３４ａの貫通孔を一致させ、この貫通孔に、図１及び図２に示すように、リベットからなる回転軸３５を挿入し、回転軸３５の先端部をかしめることによって、先端側筒体３４が基端側筒体３３に対して回動自在に連結される。また、円筒体３２ｂは、基端側筒体３３及び先端側筒体３４の中心軸を一致させた真っ直ぐな状態とすることにより、円筒体３２ａ内に挿入可能となる。なお、円筒体３２ｃ及び円筒体３２ｄは、先端側筒体３４内に収納される。
【００２９】
円筒体３２ｄの先端部には、連結部材４２を介して第１ミラー４０が回動自在に設置されている。連結部材４２は、所謂、自由雲台の機能を備えており、第１ミラー４０を任意の方向に傾けることが可能である。第１ミラー４０は、板状のミラーを備えている。
【００３０】
図４は、本発明の第１実施形態における検針ハンディターミナル１の制御系を示すブロック図である。
【００３１】
検針ハンディターミナル１は、ＣＰＵ５０と、ＲＡＭ５２と、ＲＯＭ５４と、入力パネル１６と、表示パネル１４と、Ｉ／Ｏ部５６とを備えている。
【００３２】
ＣＰＵ５０は、検針ハンディターミナル１全体を制御する中央処理装置である。ＲＡＭ５２は、ＣＰＵ５０が各種の処理を実行する際にデータを展開する作業フィールドとして使用される。ＲＯＭ５４は、書き換え可能な不揮発性メモリからなり、ＣＰＵ５０に各種の機能を実行させるためプログラム、処理に必要な各種のデータをまとめたデータベース等が記憶されている。Ｉ／Ｏ部５６は、ホスト端末（図示せず）と送受信可能にケーブルあるいは無線で接続するものである。ＣＰＵ５０には、ＣＰＵ５０と、ＲＡＭ５２と、ＲＯＭ５４と、入力パネル１６と、表示パネル１４と、Ｉ／Ｏ部５６とが接続されている。
【００３３】
ＲＯＭ５４には、ＣＰＵ５０が、指示数登録部５０ａ、表示制御部５０ｂ、送受信制御部５０ｃ等としての機能を果たすようにするためのプログラムが記憶されている。また、ＲＯＭ５４には、指示数を記憶するための記憶領域が設定されている。
【００３４】
次に、ＣＰＵ５０の機能について説明する。
指示数登録部５０ａは、入力パネル１６を介して入力された指示数をＲＯＭ５４に記憶する制御を行う。
【００３５】
表示制御部５０ｂは、表示パネル１４に表示させる画像情報、検針作業を行う際に各需要家を順番に訪れるための移動経路を地図上に表示させる地図情報や、入力パネル１６を介して入力された指示数の画像情報を作成し、表示パネル１４に表示させる制御を行う。
【００３６】
送受信制御部５０ｃは、Ｉ／Ｏ部５６を介して接続されたホスト端末あるいは外部端末と、検針ハンディターミナル１との間の送受信制御を行う。
【００３７】
次に、第１実施形態における検針ハンディターミナル１の使用方法について説明する。
まず、検針員は、検針用補助具３０をクリップ１８に取り付け、検針場所と電力量計１００の位置とを考慮して第１ミラー４０の傾きを大まかに調整する。
【００３８】
次に、ターミナル本体１０を片手で保持し、もう片方の手でロッド型シャフト３２を伸ばして、第１ミラー４０を電力量計に対向させる。この時、第１ミラー４０を介して指示数が視認しにくい場合に、検針員は、クリップ１８を回動させて第１ミラー４０を上下させたり、ロッド型シャフト３２の円筒体３２ａを軸周りに回転させたり、必要に応じて円筒体３２ｂの先端側筒体３４を傾けたりすることによって、第１ミラー４０の角度を調整する。
【００３９】
そして、第１ミラー４０を介して指示数が視認可能にした後、検針員は、もう片方の手で入力パネル１６を操作して、指示数を入力する。入力終了後、ロッド型シャフト３２を縮小させ、次の検針場所に移動する。
【００４０】
なお、上述した使用例はあくまでも一例であって、他の使用例であってもよい。例えば、検針用補助具３０をクリップ１８から外した状態で、検針員が検針用補助具３０を操作して、電力量計１００の指示数が見えやすいように第１ミラー４０を調整した後、検針用補助具３０の位置を保ちながら、検針用補助具３０をクリップ１８に取り付ける。そして、クリップ１８の位置を固定しながらターミナル本体１０を回動させ、入力パネル１６を操作し易い位置に位置付けてから指示数の入力を行ってもよい。
【００４１】
以上、説明したように構成された第１実施形態によれば、ロッド型シャフト３２をクリップ１８に取り付けた状態で、第１ミラー４０を電力量計１００に対向させたり、あるいはロッド型シャフト３２を持って第１ミラー４０を電力量計１００に対向させ、この状態を維持しながらロッド型シャフト３２をクリップ１８に取り付けたりすることが可能になる。これにより、ロッド型シャフト３２を直接手で持たなくても、電力量計１００の指示数を視認することが可能になる。しかも、片手でロッド型シャフト３２とともにターミナル本体１０を持つことが可能になり、もう片方の手を自由に使うことができる。このため、入力パネル１６への操作入力が容易に可能になり、検針員がバランスを崩して転びそうになった場合に、もう片方の手で近くの物体をつかむなど転倒を回避することが可能になる。
【００４２】
また、第１実施形態によれば、第１ミラー４０を電力量計１００に対向させた状態で、円筒体３２ｂの先端側筒体３４を回動させることにより、電力量計１００に対する第１ミラー４０の角度を調整することが可能になる。これにより、ターミナル本体１０を移動させることなく検針員における手元でのロッド型シャフト３２の操作によって、電力量計１００を視認することが可能になる。
【００４３】
［第２実施形態］
図５は、本発明の第２実施形態における検針ハンディターミナル１の外観を示す正面図である。なお、図２に示す本発明の第１実施形態における検針ハンディターミナル１と同一の部材又は同一機能の部材については同一の符号を付して、詳細な説明を省略した。
【００４４】
図５に示す本発明の第２実施形態における検針ハンディターミナル１は、図２に示す本発明の第１実施形態における検針ハンディターミナル１における第１ミラー４０の代わりに、小型ＣＣＤカメラ６０を取り付け、ロッド型シャフト３２の円筒体３２ａに小型ＣＣＤカメラ６０が撮像した画像を表示する液晶表示ディスプレイ６２を取り付けたものである。
【００４５】
小型ＣＣＤカメラ６０は、撮像機能とともに無線通信機能を備えており、液晶表示ディスプレイ６２は、液晶表示機能とともに無線通信機能を備えている。小型ＣＣＤカメラ６０が撮像した画像データは無線で液晶表示ディスプレイ６２に送信され、液晶表示ディスプレイ６２は、小型ＣＣＤカメラ６０から送信された画像データに基づく画像表示を行う。これにより、小型ＣＣＤカメラ６０が撮像した電力量計１００の指示数が液晶表示ディスプレイ６２に表示される。
【００４６】
以上、説明したように構成された第２実施形態によれば、ロッド型シャフト３２をクリップ１８に取り付けた状態で、小型ＣＣＤカメラ６０を電力量計１００に対向させたり、あるいはロッド型シャフト３２を持って小型ＣＣＤカメラ６０を電力量計１００に対向させ、この状態を維持しながらロッド型シャフト３２をクリップ１８に取り付けたりすることが可能になる。これにより、ロッド型シャフト３２を直接手で持たなくても、電力量計１００の指示数を視認することが可能になる。しかも、片手でロッド型シャフト３２及びターミナル本体１０を持つことが可能になり、もう片方の手を自由に使うことができる。このため、入力パネル１６への操作入力が容易に可能になり、検針員がバランスを崩して転びそうになった場合に、もう片方の手で近くの物体をつかむなど転倒を回避することが可能になる。
【００４７】
また、第２実施形態によれば、小型ＣＣＤカメラ６０を電力量計１００に対向させた状態で、円筒体３２ｂの先端側筒体３４を回動させることにより、電力量計１００に対する小型ＣＣＤカメラ６０の角度を調整することが可能になる。これにより、ターミナル本体１０を移動させることなく検針員における手元でのロッド型シャフト３２の操作によって、電力量計１００を視認することが可能になる。
【００４８】
また、第２実施形態によれば、電力量計１００の指示数を手元で視認することが可能になり、液晶表示ディスプレイ６２を見ながら電力量計１００の検針指示数を容易に入力することが可能になる。
【００４９】
［第３実施形態］
図６は、本発明の第３実施形態における検針ハンディターミナル１の外観を示す正面図、図７は、図６の側面図である。なお、図２に示す本発明の第１実施形態における検針ハンディターミナル１と同一の部材又は同一機能の部材については同一の符号を付して、詳細な説明を省略した。
【００５０】
図６に示す本発明の第３実施形態における検針ハンディターミナル１は、図２に示す本発明の第１実施形態における検針ハンディターミナル１における円筒体３２ｂを１本の円筒体とし、円筒体３２ａに、連結部材４６を介して第２ミラー４４を回動自在に設置したものである。連結部材４６は、連結部材４２と同様に自由雲台の機能を備えており、第２ミラー４４を任意の方向に向けることが可能である。第２ミラー４４は第１ミラー４０と同一の部材である。
【００５１】
次に、第３実施形態における検針ハンディターミナル１の使用方法について説明する。
まず、検針員は、検針用補助具３０をクリップ１８に取り付け、検針場所と電力量計の位置とを考慮して第１ミラー４０の側方の画像が第２ミラー４４に映し出されるように、第１ミラー４０及び第２ミラー４４の傾きを調整する。
【００５２】
次に、ターミナル本体１０を片手で保持し、もう片方の手でロッド型シャフト３２を伸ばして、第１ミラー４０を電力量計に対向させる。この時、第１ミラー４０に映し出された像は第２ミラー４４に映し出される。そして、検針員は、第２ミラー４４に映し出された指示数を見ながらもう片方の手で入力パネル１６を操作して、指示数を入力する。入力終了後、ロッド型シャフト３２を縮小させ、次の検針場所に移動する。
【００５３】
以上、説明したように構成された第３実施形態によれば、ロッド型シャフト３２をクリップ１８に取り付けた状態で、第１ミラー４０を電力量計１００に対向させたり、あるいはロッド型シャフト３２を持って第１ミラー４０を電力量計１００に対向させ、この状態を維持しながらロッド型シャフト３２をクリップ１８に取り付けたりすることが可能になる。これにより、ロッド型シャフト３２を直接手で持たなくても、電力量計１００の指示数を視認することが可能になる。しかも、片手でロッド型シャフト３２及び検針ハンディターミナル本体を持つことが可能になり、もう片方の手を自由に使うことができる。このため、入力パネル１６への操作入力が容易に可能になり、検針員がバランスを崩して転びそうになった場合に、もう片方の手で近くの物体をつかむなど転倒を回避することが可能になる。
【００５４】
また、第３実施形態によれば、第１ミラー４０を電力量計１００に対向させることにより、検針員が、手元の第２ミラー４４を介して電力量計１００の指示数を視認することが可能になる。また、２枚のミラーを使用しているため、第２ミラー４４に映される電力量計１００の指示数が反転画像とはならない。これにより、検針員が指示数を視認し易くすることが可能になる。
【００５５】
以上、本発明の実施形態について説明したが、本発明の実施形態は上述した実施形態に限るものではない。例えば、上述した実施形態においては、ロッド型シャフト３２は４本の円筒体によって構成されているが、それより多い本数でもよい。また、第２実施形態においては、小型ＣＣＤカメラ６０から無線によって画像データを液晶表示ディスプレイ６２に送信しているが、小型ＣＣＤカメラ６０と液晶表示ディスプレイ６２とをケーブル接続し、有線で画像データを送信してもよい。また、液晶表示ディスプレイ６２の代わりにターミナル本体１０の表示パネル１４に指示数を表示させてもよいことは言うまでもない。更に、小型ＣＣＤカメラ６０とターミナル本体１０とをケーブル接続し、小型ＣＣＤカメラ６０からターミナル本体１０に画像データを送信する一方で、ターミナル本体１０から小型ＣＣＤカメラ６０に対して電源供給を行ってもよい。
【００５６】
また、上述した実施形態においては、光学装置としてミラーやＣＣＤカメラを用いているが、それ以外でも、インターネット回線に接続可能でかつ撮像機能を有する携帯型端末を適用することも可能である。これにより、携帯型端末で撮影した画像データをインターネット回線を介してターミナル本体１０に送信し、ターミナル本体１０の表示パネル１４に表示させることが可能になる。
【符号の説明】
【００５７】
１  検針ハンディターミナル
１０  ターミナル本体
１２  筐体
１４  表示パネル
１６  入力パネル
１８  クリップ
１８ａ  スリット
１９  固定軸
３０  検針用補助具
３２  ロッド型シャフト
３２ａ、３２ｂ、３２ｃ、３２ｄ  円筒体
３３  基端側筒体
３３ａ  壁部
３４  先端側筒体
３４ａ  壁部
３５  回転軸
４０  第１ミラー
４２  連結部材
４４  第２ミラー
４６  連結部材
５０  ＣＰＵ
５０ａ  指示数登録部
５０ｂ  表示制御部
５０ｃ  送受信制御部
５２  ＲＡＭ
５４  ＲＯＭ
５６  Ｉ／Ｏ部
６０  小型ＣＣＤカメラ
６２  液晶表示ディスプレイ
１００  電力量計
【図１】
2014232358.tif 000003
【図２】
2014232358.tif 000004
【図３】
2014232358.tif 000005
【図４】
2014232358.tif 000006
【図５】
2014232358.tif 000007
【図６】
2014232358.tif 000008
【図７】
2014232358.tif 000009